(57)【要約】【課題】毛髪の損傷においてチオール基及びカルボニル基以外の官能基を対象とでき、かつ、毛髪内部の損傷をも含めた評価に適する毛髪損傷の評価方法、及び当該方法を使用する化合物又は組成物の試験方法の提供。【解決手段】毛髪損傷の評価方法は、基準毛髪を加水分解して得られた加水分解物（Ｉ）におけるシステイン酸量（Ｉ）と、比較毛髪を加水分解して得られた加水分解物（II）におけるシステイン酸量（II）と、を比較するものであり、化合物又は組成物の試験方法は、その評価方法を使用するものである。【選択図】なし【特許請求の範囲】
【請求項１】
基準毛髪を加水分解して得られた加水分解物（Ｉ）におけるシステイン酸量（Ｉ）と、
比較毛髪を加水分解して得られた加水分解物（II）におけるシステイン酸量（II）と、
を比較する毛髪損傷の評価方法。
【請求項２】
前記基準毛髪および／又は前記比較毛髪が、損傷付与環境下に置かれたものである請求項１に記載の毛髪損傷の評価方法。
【請求項３】
前記損傷付与が、光により行われる請求項２に記載の毛髪損傷の評価方法。
【請求項４】
前記損傷付与環境下に置かれる前に、一種又は二種以上の化合物又は組成物を、前記基準毛髪および／又は前記比較毛髪と接触させる請求項２又は３に記載の毛髪損傷の評価方法。
【請求項５】
請求項４に記載の毛髪損傷の評価方法を使用する化合物又は組成物の試験方法。
【発明の詳細な説明】
【技術分野】
【０００１】
本発明は、毛髪損傷の程度を評価する毛髪損傷の評価方法、及び、当該評価方法を使用する化合物又は組成物の試験方法に関するものである。
【背景技術】
【０００２】
毛髪に対しては、日常生活の中でも、紫外線などの光、ドライヤーやヘアアイロンなどの熱、ブラッシングなどによって、毛髪は損傷する。また、酸化反応を伴う酸化染毛処理、還元反応及び酸化反応を伴うパーマネントウェーブや縮毛矯正処理においても、毛髪は損傷する。
【０００３】
毛髪及び毛髪用組成物の研究開発を行うためには、毛髪の損傷評価が有用と考えられ、その評価方法が、特許文献１、２に開示されている。特許文献１が開示する方法は、損傷の指標としてブラッシング、パーマなどで生じるチオール基（ＳＨ基）に着目し、蛍光物質をそのＳＨ基に修飾させた後に、毛髪表面の蛍光を確認するものであり（請求項１、実施例）、特許文献２が開示する方法は、損傷の指標としてパーマ処理、ブリーチ処理、酸化染毛剤処理、コーミング、熱処理、紫外線に対する暴露、プールでの次亜塩素酸に対する暴露などで生じるカルボニル基に着目し、蛍光物質をそのカルボニル基に修飾（作用・結合）させた後に、毛髪表面の蛍光を確認するものである。また、特許文献３には、紫外線による毛髪の損傷と、毛髪を溶解させた後に得られる所定のケラチンフィルムとが、紫外線から受ける損傷とに相関性があるとし、紫外線がケラチンフィルムに生じさせるカルボニル基に反応させた蛍光物質の蛍光を確認するものが開示されている（請求項１、請求項１０、段落０００８、００２６）。
【先行技術文献】
【特許文献】
【０００４】
【特許文献１】特開平８−１７８９２０号公報
【特許文献２】国際公開第２００５／５７２１１号
【特許文献３】特開２００８−１８０７０９号公報
【発明の概要】
【発明が解決しようとする課題】
【０００５】
ところで、上記の特許文献が開示する評価方法は、チオール基またはカルボニル基に着目するものであるが、他の損傷により生じる官能基を指標にできれば、毛髪及び毛髪用組成物に関する研究開発の更なる発展を期待できる。また、上記の評価方法は、毛髪又はケラチンフィルムについての表面に現れる蛍光を確認するものであるから、毛髪等の内部の損傷をも含めた評価に適するとはいえない。
【０００６】
本発明は、上記事情に鑑み、毛髪の損傷においてチオール基及びカルボニル基以外の官能基を対象とでき、かつ、毛髪内部の損傷をも含めた評価に適する毛髪損傷の評価方法、及び当該方法を使用する化合物又は組成物の試験方法の提供を目的する。
【課題を解決するための手段】
【０００７】
本発明に係る毛髪損傷の評価方法は、基準毛髪を加水分解して得られた加水分解物（Ｉ）におけるシステイン酸量（Ｉ）と、比較毛髪を加水分解して得られた加水分解物（II）におけるシステイン酸量（II）と、を比較するものである。当該比較によれば、例えば、年代別の毛髪損傷の評価、根本と毛先の損傷の評価が可能である。
【０００８】
本発明に係る毛髪損傷の評価方法において、前記基準毛髪および／又は前記比較毛髪が、損傷付与環境下に置かれたものであると良い。このような毛髪を対象とすれば、例えば、損傷付与環境下に置かれることの有無による毛髪損傷の評価、基準毛髪及び比較毛髪が置かれる損傷付与環境の条件を同一にする場合の毛髪損傷の評価、基準毛髪及び比較毛髪が置かれる損傷付与環境の条件が相違する場合の毛髪損傷の評価が可能である。
【０００９】
前記損傷付与は、例えば、光により行われる。この光の照射又は暴露により、システイン酸が毛髪表面だけではなく、毛髪内部にまで生じる。このことは、これまでには明らかにされていなかった知見である。
【００１０】
前記損傷付与環境下に置かれる前に、一種又は二種以上の化合物又は組成物を、前記基準毛髪および／又は前記比較毛髪と接触させると良い。この接触を行えば、例えば、化合物、組成物による毛髪損傷について、抑制効果の確認、抑制効果の比較が可能となる。観点を変えれば、毛髪損傷の抑制効果の有無、優劣を判断するための化合物又は組成物の試験方法となる。
【発明の効果】
【００１１】
本発明に係る毛髪損傷の評価方法によれば、基準毛髪と比較毛髪の夫々から得た加水分解物のシステイン酸量を比較するから、チオール基又はカルボニル基によらずとも毛髪損傷の評価を行うことができ、かつ、毛髪内部の損傷を含めた評価が可能となる。
【００１２】
また、本発明に係る化合物又は組成物の試験方法によれば、加水分解物（Ｉ）及び加水分解物（II）を得るための加水分解前の基準毛髪及び比較毛髪を損傷付与環境下に置くこととし、その環境下に置く前に、化合物又は組成物と基準毛髪および／又は比較毛髪とを接触させるから、その化合物又は組成物による損傷抑制効果の確認、優劣の判断ができる。
【図面の簡単な説明】
【００１３】
【図１】参考例Ａにおける基準毛髪ａ（―）  および比較毛髪ａ  （…）の赤外スペクトル例。
【図２】参考例Ａにおける基準毛髪ａ及び比較毛髪ａのＩ１０６５−１０３０／Ｉ１６００−１４７０の平均値を示すグラフ。
【図３】参考例Ａにおける基準毛髪ａ、比較毛髪ａの径方向の各測定点におけるＩ１０６５−１０３０／Ｉ１６００−１４７０の平均値を示すグラフ。
【図４】参考例Ａにおける基準毛髪ａ、比較毛髪ａのシステイン酸相対強度マッピング測定結果。
【図５】参考例Ｂにおける基準毛髪ｂ、比較毛髪ｂのシステイン酸相対強度マッピング測定結果。
【発明を実施するための形態】
【００１４】
本発明の実施形態に基づき、本発明を以下に説明する。
本実施形態の毛髪損傷の評価方法においては、基準毛髪を加水分解して得られた加水分解物（Ｉ）におけるシステイン酸量（Ｉ）と、比較毛髪を加水分解して得られた加水分解物（II）におけるシステイン酸量（II）と、を比較する。毛髪が酸化条件におかれると損傷し、毛髪の構成アミノ酸の中にシステイン酸が生じるから、システイン酸量（Ｉ）とシステイン酸量（II）の比較を行うことで、基準毛髪と比較毛髪の損傷についての評価が可能となる。
【００１５】
基準毛髪と比較毛髪は、比較目的となる毛髪であり、その比較目的を任意に設定するとよい。その目的は、年代別の比較（例えば、２０代と５０代の比較）、毛髪部位の比較（例えば、根本と毛先の比較）などである。また、基準毛髪のみ、比較毛髪のみ、又は、基準毛髪及び比較毛髪の双方を、加水分解前に、任意に損傷付与環境下に置けば、損傷付与環境下に置かれることの有無による毛髪損傷の評価、置かれる損傷付与環境の条件が相違する場合の毛髪損傷の評価、置かれる損傷付与環境の条件が同一である場合の毛髪損傷の評価（当該評価は、例えば、年代別の比較、毛髪部位の比較）を行える。
【００１６】
毛髪を損傷付与環境に置く場合、その損傷付与は、例えば、光照射、光暴露などによる光；ドライヤーやヘアアイロンなどの熱；酸化染毛処理、パーマネントウェーブ処理、縮毛矯正処理などの組成物との接触；により行われる。その損傷付与が光により行われる場合、毛髪の内部において、構成アミノ酸におけるシステイン酸比率が予想外に高くなる知見を得ている。この知見は、毛髪の周方向切断面（毛髪の軸と略直交する切断面）について、光の一種である紫外線を照射した場合と、紫外線を照射しなかった場合とを、大型放射光施設ＳＰｒｉｎｇ−８のＢＬ４３ＩＲを使用して得た赤外吸収スペクトルデータなどを解析し、初めて得られたものである。
【００１７】
上記の損傷付与環境下に置かれる前に、基準毛髪のみ、比較毛髪のみ、又は、基準毛髪及び比較毛髪の双方を、一種又は二種以上の化合物又は組成物と接触させると、その化合物又は組成物による毛髪損傷の抑制効果の確認、化合物同士における毛髪損傷の抑制効果の比較、組成物同士における毛髪損傷の抑制効果の比較、化合物と組成物における毛髪損傷の抑制効果の比較が可能となる。
【００１８】
上記の通り、加水分解物（Ｉ）及び加水分解物（II）を得るためには、基準毛髪の加水分解及び比較毛髪の加水分解を行う（なお、加水分解を行う本実施形態の評価方法の利点としては、評価対象となる毛髪全体としての平均的な損傷評価を行い易くなることである。）。この加水分解の前に、通常、基準毛髪及び比較毛髪を洗浄する。
【００１９】
本実施形態における基準毛髪及び比較毛髪の加水分解では、毛髪を加水分解するための公知の方法が使用される。例えば、塩酸などを混合した酸性水溶液中で基準毛髪、比較毛髪を加熱する方法が挙げられ、当該方法は、加水分解物（Ｉ）及び加水分解物（II）からの塩酸除去が容易なので、好適である。また、加水分解は、突沸を防ぐため、例えば、減圧下で密閉した容器内において行うと良い。
【００２０】
本実施形態におけるシステイン酸量（Ｉ）及びシステイン酸量（II）の定量は、公知のシステイン酸定量方法により行われる。例えば、高速液体クロマトグラフを使用したアミノ酸分析で行われる。定量されたシステイン酸量（Ｉ）とシステイン酸量（II）とを比較し、その値が大きい方が、毛髪損傷が大きいと判断される。
【実施例】
【００２１】
以下、実施例などに基づき本発明を詳述するが、この実施例の記載に基づいて本発明が限定的に解釈されるものではない。
【００２２】
（実施例Ａ）
基準毛髪ａの加水分解ａを行って得た加水分解物（Ｉａ）におけるシステイン酸量（Ｉａ）の定量、及び、比較毛髪ａの加水分解ａを行って得た加水分解物（IIａ）におけるシステイン酸量（IIａ）の定量を行った。比較毛髪ａに対しては、加水分解前に、損傷付与環境ａ下に置いた。詳細は、以下の通りである。
【００２３】
基準毛髪ａ及び比較毛髪ａ
２０代の日本人女性４名から、酸化染毛処理などの化学的処理履歴がない黒髪を採取し、１質量％ラウリル硫酸ナトリウム水溶液に３０分間浸漬してから、水洗し、乾燥させた。この水洗後の毛髪を、基準毛髪ａ及び比較毛髪ａとした。
【００２４】
損傷付与環境ａ
１ｇの比較毛髪ａに対して、紫外線照射器（スガ試験機社製「ＸＴ−７５０Ｌ」）を使用し、紫外線Ａ波及びＢ波の総量で一日平均３，０００ｋＪ／ｍ２の光量を１０日間照射した。この１０日間の紫外線照射を、損傷付与環境ａとした。
【００２５】
加水分解ａ
基準毛髪ａ及び比較毛髪ａを、クロロホルムで洗浄し、乾燥させてから、細断した。細断した基準毛髪ａ及び比較毛髪ａの夫々約３ｍｇと、６ｍｏｌ／Ｌ塩酸の５０μｌをガラスチューブ内に入れてから、内部を減圧しつつ、封管した。そして、封管したガラスチューブを、１１０℃に設定した定温加熱炉内に、１６時間放置し、加水分解ａを行った。
【００２６】
加水分解物（Ｉａ）及び加水分解物（IIａ）の回収
加水分解後にガラスチューブを開管し、ただちに塩酸を窒素ガスにて留去させてから、乾固した水分解物（Ｉａ）及び加水分解物（IIａ）を回収した。
【００２７】
システイン酸量（Ｉａ）及びシステイン酸量（IIａ）の定量
加水分解物（Ｉａ）及び加水分解物（IIａ）の夫々を０．０２ｍｏｌ／Ｌ塩酸で溶解し、５０ｍＬの溶液を調整した。この溶液を、０．４５μｍのメンブランフィルターでろ過したものを定量分析用の試料とした。定量分析は、アミノ酸分析装置（日立ハイテクノロジーズ社製高速液体クロマトグラフ「Ｃｈｒｏｍａｓｔｅｒアミノ酸（ＮＩＮ法）分析システム」）を使用して行った。定量の標準試料は、Ｌ−システイン酸の塩酸溶液を使用した。
【００２８】
下記表１に、加水分解物（Ｉａ）におけるシステイン酸量（Ｉａ）、加水分解物（IIａ）におけるシステイン酸量（IIａ）を示す（表１の単位は、質量％であり、数値は定量回数５０回の平均値である。）。紫外線による毛髪損傷付与環境ａ下に置かれた比較毛髪ａに基づくシステイン酸量（IIａ）が、システイン酸量（Ｉａ）よりも高い値であり、基準毛髪ａよりも比較毛髪ａが損傷していたと評価できた。
【００２９】
【表１】
2019144075.tif 000002
【００３０】
（実施例Ｂ）
損傷付与環境ｂ下に置いた後の基準毛髪ｂの加水分解ｂを行って得た加水分解物（Ｉｂ）におけるシステイン酸量（Ｉｂ）の定量、及び、損傷付与環境ｂ下に置いた後の比較毛髪ｂの加水分解ｂを行って得た加水分解物（IIｂ）におけるシステイン酸量（IIｂ）の定量を行った（なお、システイン酸量（Ｉｂ）は、システイン酸量（IIａ）と一致するものである。）。比較毛髪ｂに対しては、損傷付与環境ｂ下に置く前に、組成物ｂとの接触を行った。詳細は、以下の通りである。
【００３１】
基準毛髪ｂ及び比較毛髪ｂ
上記基準毛髪ａ及び比較毛髪ａと同様に、基準毛髪ｂ及び比較毛髪ｂを準備した。
【００３２】
組成物ｂとの接触
テトラ２−へキシルデカン酸アスコルビルが０．１質量％、イソステアリン酸が９９．９質量％である組成物を、組成物ｂとした。組成物ｂとの接触については、損傷付与環境ｂ下に置く前及び損傷付与環境ｂ下に置いている間の１日毎に、１ｇの比較毛髪ｂに０．１ｇの組成物ｂを塗布してから、ヘアドライヤーの温風を吹き付けることで行った。その１日毎の塗布前には、比較毛髪ｂを１質量％ラウリル硫酸ナトリウム水溶液に３０分間浸漬してから、水洗する処理を行った。
【００３３】
損傷付与環境ｂ
損傷付与環境ｂは上記損傷付与環境ａと同様とし、損傷付与環境ｂ下に基準毛髪ｂ及び比較毛髪ｂを置いた。
【００３４】
加水分解ｂ
上記加水分解ａと同様に、加水分解ｂを行った。
【００３５】
加水分解物（Ｉｂ）及び加水分解物（IIｂ）の回収
上記加水分解物（Ｉａ）及び加水分解物（IIａ）の回収と同様に、加水分解物（Ｉｂ）及び加水分解物（IIｂ）を回収した。
【００３６】
システイン酸量（Ｉｂ）システイン酸量（IIｂ）の定量
上記システイン酸量（Ｉａ）及びシステイン酸量（IIａ）の定量と同様に、システイン酸量（Ｉｂ）及びシステイン酸量（IIｂ）の定量を行った。
【００３７】
下記表２に、加水分解物（Ｉｂ）におけるシステイン酸量（Ｉｂ）、加水分解物（IIｂ）におけるシステイン酸量（IIｂ）を示す（表２の単位は、質量％であり、数値は定量回数５０回の平均値である。）。損傷付与環境ｂ下に置く前に組成物ｂと接触させた比較毛髪ｂに基づくシステイン酸量（IIｂ）が、システイン酸量（Ｉｂ）よりも低い値であり、組成物ｂによる損傷抑制を評価できた。
【００３８】
【表２】
2019144075.tif 000003
【００３９】
（参考例Ａ）
毛髪（基準毛髪ａ及び損傷付与環境ａ下に置いた後の比較毛髪ａ）の周方向切断面について、赤外顕微鏡を用いて、システイン酸の分布状態を測定した。その詳細は、次の通りである。純水中で凍結させた毛髪をクライオミクロトームにて厚さ１０μｍに切断することで調製した。毛髪の切断面を大型放射光施設ＳＰｒｉｎｇ−８におけるＢＬ４３ＩＲの赤外顕微鏡（Ｂｒｕｋｅｒ社製「Ｈｙｐｅｒｉｏｎ２０００」）のステージにあるフッ化バリウム板上に置き、透過測定を行った。測定はマッピングステージを使用して５μｍ単位ステップで行い、各測定点に対して４０００−６００ｃｍ−１の範囲で波数分解能４ｃｍ−１にて赤外吸収スペクトルを得た。この時のアパーチャーサイズは６μｍ×６μｍとし、積算回数は６４とした。
【００４０】
図１は、基準毛髪ａ（―）および比較毛髪ａ（…）の赤外スペクトル例である。システイン酸に由来するＳ−Ｏの伸縮振動ピークは、１０４０ｃｍ−１付近であるので、１０６５−１０３０ｃｍ−１における吸収ピークの面積値Ｉ１０６５−１０３０を算出し、毛髪の厚みの影響を除くために１６００−１４７０ｃｍ−１におけるアミドII（Ｎ−Ｈ）結合吸収ピークの強度面積値Ｉ１６００−１４７０を基準としてＳ−Ｏの強度面積値を補正した（補正の算出式：Ｉ１０６５−１０３０／Ｉ１６００−１４７０）。図２は、基準毛髪ａ及び比較毛髪ａの全測定点におけるＩ１０６５−１０３０／Ｉ１６００−１４７０の平均値である（平均値は、４サンプルの平均）。このＩ１０６５−１０３０／Ｉ１６００−１４７０の平均値によれば、基準毛髪ａに比べて、紫外線処理を行った比較毛髪ａは高いから、システイン酸が毛髪内部に生成していると考えられる。
【００４１】
さらに、図３に示す結果から、システイン酸が毛髪内部に生成しているといえる。図３は、基準毛髪ａ、比較毛髪ａの切断面径方向の各測定点におけるＩ１０６５−１０３０／Ｉ１６００−１４７０の平均値を示すグラフである。Ｉ１０６５−１０３０／Ｉ１６００−１４７０は、どの測定点においても紫外線照射後の比較毛髪ａの方が基準毛髪ａよりも高い値であるので、システイン酸は毛髪表面から毛髪内部にわたって生成していたと理解できる。
【００４２】
図４は、赤外顕微鏡による基準毛髪ａ、比較毛髪ａのシステイン酸相対強度マッピングの測定結果である。この結果においても、紫外線照射後の比較毛髪ａ内部は、全体にわたってシステイン酸が生成していたことを確認できる。つまり、紫外線による毛髪の損傷は、表面に留まらず、内部に至る。
【００４３】
（参考例Ｂ）
損傷付与環境ｂ下に置いた後の基準毛髪ｂ及び損傷付与環境ｂ下に置いた後の比較毛髪ｂの周方向切断面について、上記参考例Ａと同様、システイン酸の分布状態を測定した。
【００４４】
図５は、参考例Ａと同様、基準毛髪ｂ、比較毛髪ｂのシステイン酸相対強度マッピングの測定結果である。基準毛髪ｂ、比較毛髪ｂ共に紫外線照射されたものであるが、組成物ｂとの接触を行った比較毛髪ｂは、基準毛髪ｂよりも、毛髪損傷が抑えられていた。
【００４５】
なお、組成物ｂにおけるテトラ２−へキシルデカン酸アスコルビルは、毛髪内部にまで浸透することをＳＰｒｉｎｇ−８にて確認しており、図５における比較毛髪ｂの内部損傷の抑制結果は、上記内部浸透と相関する。
【図１】
2019144075.tif 000004
【図２】
2019144075.tif 000005
【図３】
2019144075.tif 000006
【図４】
2019144075.tif 000007
【図５】
2019144075.tif 000008